(57)【要約】【課題】無理な作業による光学装置の位置ズレを無くしてメンテナンス効果を高めることができる露光装置を提供すること。【解決手段】１つ以上の反射笠と、原稿からの画像光を第２の光学装置に導くための反射板を備え、第２の光学装置内に第１の光学装置からの画像光を装置本体内に導くための第１の反射板と第２の反射板を備え、装置本体外の画像光を装置本体内に導く構成とし、且つ、光学装置を駆動するために装置本体に設けられた回転支持体に巻き付けられ、両端を装置本体内の任意の場所に固定的に接続されたワイヤーを備え、前記第１と第２の光学装置は前記ワイヤーに接続されて回転支持体の回転に連動して移動可能なように構成された露光装置において、前記第１と第２の光学装置が前記ワイヤーから取り外し自在なように第１と第２の光学装置が本体側接続子と光学装置に分割して構成される。【選択図】図１
2005165002.tif 000002
【特許請求の範囲】
【請求項１】
装置本体の内外に亘って光路を形成し、光路を形成する第１の光学装置及び第２の光学装置のうち、第１の光学装置内に照明手段と照明手段からの光を第１透光部材上に配置された原稿に導くための１つ以上の反射笠と、原稿からの画像光を第２の光学装置に導くための反射板を備え、第２の光学装置内に第１の光学装置からの画像光を装置本体内に導くための第１の反射板と第２の反射板を備え、装置本体外の画像光を装置本体内に導く構成とし、且つ、光学装置を駆動するために装置本体に設けられた回転支持体に巻き付けられ、両端を装置本体内の任意の場所に固定的に接続されたワイヤーを備え、前記第１と第２の光学装置は前記ワイヤーに接続されて回転支持体の回転に連動して移動可能なように構成された露光装置において、
前記第１と第２の光学装置が前記ワイヤーから取り外し自在なように第１と第２の光学装置が本体側接続子と光学装置に分割して構成されることを特徴とする露光装置。
【請求項２】
前記第１と前記第２の光学装置が前記本体側接続子に取り付けられた際に、取り外し方向に付勢手段によって付勢され、且つ、前記付勢手段の固有振動数が前記本体接続子の固有振動数及び前記本体接続子を駆動する駆動手段の発生する振動数と一致しないように設定することで防振効果を高めることを特徴とする請求項１記載の露光装置。
【発明の詳細な説明】
【技術分野】
【０００１】
本発明は、複写機やイメージリーダ等に用いられる露光装置に関する。
【背景技術】
【０００２】
図６（Ａ）,(Ｂ) は従来の露光装置を示している。装置本体１００上面には、第１透光部材としての第１原稿台ガラス１０１と、第２透光部材としての第２原稿台ガラス１０２とを水平に設けてある。
【０００３】
一方、装置本体１００内には上記原稿台ガラス１０１，１０２に対して一定間隔をもって平行に移動自在な第１光学ユニット１０３を設けてある。光学ユニット１０３は、露光ランプ１０４、第１、第２反射笠１０５，１０６、第１ミラー１０７を有する。又、装置本体１００内には第２光学ユニット１１２も設けられ、第２、第３ミラー１０８，１０９を水平移動自在に設けてある一方、第２原稿台ガラス１０２の真下に相当する位置には、ミラー１１０を保持したプレート１１１が倒立自在に設けてある。
【０００４】
上記構成において、（Ａ）の第１露光モード状態では、光学ユニット１０３は、第１原稿台ガラス１０１の下方から図中右方向へ移動していき、露光ランプ１０４の光を第１原稿台ガラス１０１上の原稿に照射し、得た画像光ａを第１光路Ａを介して装置本体１００内に再び導き、第１光学ユニット１０３の第１反射ミラー１０７、第２光学ユニット１１２の第２、第３反射ミラー１０８，１０９を介して図示しない光電変換素子や感光体へ導く。
【０００５】
上記作用中、第２光学ユニット１１２は、光学ユニット１０３の移動速度の１／２の速度で移動し光路長を保つ。又、プレート１１１は水平状態に倒れている。
【０００６】
一方、第２露光モードが選択されると、光学ユニット１０３が（Ｂ）のように図中左方向へと移動するとともに、プレート１１１が略４５度の角度に立ち上る。そして、画像光ａは第２原稿ガラス１０２側の第２光路Ｂを介して装置本体１００内に入り、ミラー１１０により光電変換素子や感光体へと導かれる。
【０００７】
上記光学ユニット１０３，１１２は、図７に示すように、装置本体１００に設けられた回転可能なプーリ１１３に一部巻き付けて取り付けられる光学ワイヤー１１４に固定的に接続され、プーリ１１３を駆動する駆動装置１１５がプーリ１１３を回転させることによって連動して移動可能に構成される。又、、光学ワイヤー１１４はプーリ１１３に巻き付けて取り付ける際に位置を厳密に調整される。
【０００８】
上記従来の露光装置は定期的なメンテナンス時に、第１原稿台ガラス１０１、第２原稿台ガラス１０２と第１光学ユニット１０３内の第１、第２反射笠１０５，１０６、第１ミラー１０７と第２光学ユニット１１２内の第２、第３ミラー１０８，１０９及びミラー１１０をアルコール等で清掃する。
【０００９】
その際、第１光学ユニット１０３及び第２光学ユニット１１２は、装置本体に取り付けられた光学ワイヤー１１４に固定的に接続されているために作業者は第１、第２原稿台ガラス１０１，１０２を装置本体から取り外し、装置本体内に手を挿入し、各ミラー及び反射笠の清掃を行う。
【００１０】
【特許文献１】特開平１１−１２７３０７号公報
【発明の開示】
【発明が解決しようとする課題】
【００１１】
しかし、上記従来例においては、狭い装置本体内に手を挿入してミラー等の清掃を行わなければならないために作業性が悪く、十分な清掃ができない場合もあった。又、無理に清掃を行うことでミラー台の位置が若干ずれてしまう危険性もあった。
【００１２】
本発明は上記問題に鑑みてなされたもで、その目的とする処は、光学ユニットのメンテナンス作業性を向上させ、着脱時にワンアクションでの着脱を可能にしつつ無理な作業による光学装置の位置ズレを無くしてメンテナンス効果を高めることができる露光装置を提供することにある。
【課題を解決するための手段】
【００１３】
上記目的を達成するため、本発明は、装置本体の内外に亘って光路を形成し、光路を形成する第１の光学装置及び第２の光学装置のうち、第１の光学装置内に照明手段と照明手段からの光を第１透光部材上に配置された原稿に導くための１つ以上の反射笠と、原稿からの画像光を第２の光学装置に導くための反射板を備え、第２の光学装置内に第１の光学装置からの画像光を装置本体内に導くための第１の反射板と第２の反射板を備え、装置本体外の画像光を装置本体内に導く構成とし、且つ、光学装置を駆動するために装置本体に設けられた回転支持体に巻き付けられ、両端を装置本体内の任意の場所に固定的に接続されたワイヤーを備え、前記第１と第２の光学装置は前記ワイヤーに接続されて回転支持体の回転に連動して移動可能なように構成された露光装置において、前記第１と第２の光学装置が前記ワイヤーから取り外し自在なように第１と第２の光学装置が本体側接続子と光学装置に分割して構成されることを特徴とする露光装置である。
【発明の効果】
【００１４】
本発明によれば、ミラーや反射笠の清掃時に光学ユニットが取り外し可能になり、ミラーの清掃が容易になるためにメンテナンス作業性が向上する。又、光学ユニットの着脱時に位置調整が必要ないため、メンテナンス時の光学ユニットの位置ズレ等が発生する可能性もなくなる。
【発明を実施するための最良の形態】
【００１５】
以下に本発明を適用した画像形成装置の一実施形態について図面を参照して説明する。
【００１６】
図１は本発明を適用した光学装置の概略構成を示す斜視図である。
【００１７】
先ず、図８を用いて複写機の概略構成について説明する。
【００１８】
図８に示す複写機１０は、複写機本体１１の上部に読み取り位置となる原稿台１２上に原稿を自動的に送り込む自動原稿給送装置１３を開閉可能に備えている。従って、前記読み取り位置となる原稿台１２上への原稿のセットは、前記自動原稿給送装置１３を用いて自動的に行っても良く、或はユーザーが前記自動原稿給送装置１３を開閉させて原稿台１２上に直接原稿をセットしても良い。
【００１９】
前記原稿台１２の下部には原稿の画像を読み取るための光学読み取り系１４が配設されている。この光学読み取り系１４は、前記原稿台１２に沿って移動し該原稿台１２上にセットされた原稿の画像面に光を照射する光源、その反射光（画像光）を画像読み込み装置１４ａへと導くミラー及びレンズ等を有している。画像読み込み装置１４ａで読み込まれた画像は、電気的な信号に変換され、
画像書き込み装置１４ｂへ伝達され、画像読み込み装置１４ｂは受け取った信号を元に感光ドラム１５上に静電画像を形成する。 
前記画像形成部の感光体ドラム１５の周囲には、プロセス手段としての帯電手段１６、現像手段１７及びクリーニング手段１８、更には転写手段１９等が配設されている。この画像形成部では、先ず、帯電手段１６によって感光体ドラム１５の表面が一様に帯電され、この感光体ドラム１５上に前記画像書き込み装置１４ｂによって読み取られた画像が照射されて潜像が形成される。そして、現像手段１７によって前記潜像が現像されて感光体ドラム１５上にトナー像が形成される。この画像形成動作と同期するようにしてシート材Ｓが送り込まれ、転写手段１９によって感光体ドラム１５上のトナー像が転写される。尚、転写後に感光体ドラム１５上に残留したトナーはクリーニング手段１８によって除去される。
【００２０】
前記シート材Ｓは、複写機本体１１の下部に引き出し収納可能に装着されたシート材収容装置としてのカセット１，２，３，４に収容され、或は複写機本体１１の側部（図３中右側）に着脱自在に装着された大容量デッキ５に収容されている。これら多種サイズのシート材Ｓは、個々に設けられた給送手段としてのピックアップローラ６及び給送ローラ対７によって選択的に給送されるようになっており、最上位から順次１枚ずつ給送されるようになっている。該シート材Ｓは、搬送手段としての搬送ローラ対２０、レジストローラ対２１等によって前記画像形成部へと送り込まれ、前述したようにトナー像が転写される。転写後、前記シート材Ｓは、搬送ベルト２２によって定着手段２３へと送り込まれ、前記トナー像が定着される。定着後、前記シート材Ｓは、排出ローラ対２４によって機外に排出される。
【００２１】
尚、ここで、前記シート材Ｓの両面に画像を記録形成する場合には、前記排出ローラ対２４の手前側に配設されたフラッパーや、反転ローラ対等から成る反転搬送手段２６によって、前記定着後のシート材Ｓの表裏面が反転されて再搬送路２７に送り込まれ、搬送手段としての搬送ローラ対２８〜３１によって再び画像形成部へ給送されるようになっている。画像形成部に送り込まれたシート材Ｓは、前述したように転写・定着が行われた後、機外へと排出される。
【００２２】
次に、光学読み取り系１４の構成について図１を用いて説明する。
【００２３】
光学読み取り系１４は、第１光学ユニット１４０と第２光学ユニット１４１及び第１、第２光学ユニット１４０，１４１を駆動するための光学ワイヤー１４２及び光学ワイヤー１４２に駆動を伝達するための駆動プーリ１４３、駆動プーリ１４３に駆動を与える駆動装置１４４から構成される。
【００２４】
第１光学ユニット１４０は、図２に示すように、光学ワイヤー１４２と固定的に接続される第１光学ユニットベース１４５及び第１光学ユニットベース１４５に着脱可能に取り付けられる第１光学アッシー１４６から構成される。
【００２５】
第１光学アッシー１４６は、露光装置としてのランプ１４７と、ランプ１４７からの光を原稿に案内するための反射笠１４８及び原稿からの原稿光を第２光学ユニット１４１へ導くためのミラー１４９と上記ランプ１４７と反射笠１４８とミラー１４９を一体的に保持するための第１光学アッシーフレーム１５１から構成される。第１光学アッシー１４６は、第１光学ユニットベース１４５に取り付けられる際に位置を正確に再現するための嵌合して位置を決める位置決め部１５０が設けられている。
【００２６】
又、位置決め部１５０内部にはランプ１４７へ電気を供給するためのコネクターが設けられており、第１光学アッシー１４６を第１光学ユニットベース１４５に取り付けることによってワンアクションで電気的にも接続することが可能になっている。位置決め部１５０は、第１光学アッシー１４６の前部、後部にそれぞれ配置される。
【００２７】
図３に示すように、位置決め部１５０近傍にはロック爪１５２が設けられる。ロック爪１５２は、第１光学ユニットベース１４５に対して回動自在に取り付けられる。ロック爪１５２近傍にはロック爪解除ボタン１５３が設けられる。ロック爪解除ボタン１５３は、通常は付勢手段によってロック爪１５２と連動しない方向に付勢され、ロック爪１５２は、通常は付勢手段により位置決め部１５０をロックする方向に付勢されている。第１光学ユニットベース１４５に第１光学アッシー１４６が取り付けられると位置決め部１５０がロック爪１５２の斜面部に干渉し、それによりロック爪が位置決め部１５０がセットされる動作に連動して反ロック方向に退避する。
【００２８】
位置決め部１５０が所定の位置にセットされると、ロック爪１５２はロック位置に復帰移動可能になり、位置決め部１５０を固定する。この一連の動作により取り付け動作に連動して位置決め部１５０近傍に設けられたロック爪１５２が位置決め部１５０を固定し、それによって第１光学アッシー１４６の位置が固定される。
【００２９】
又、図５に示すように、位置決め部１５０の第１光学ユニットベース１４５側には第１光学アッシー１４６の取り外し方向に第１光学アッシー１４６を付勢するための付勢手段１６１が設けられている。付勢手段１６１は、第１光学ユニットベース１４５と防振シート１６２を介して第１光学ユニットベースに固定的に接続される。又、付勢手段１６１の固有振動数は、第１光学ユニットベース１４５の固有振動数及び図１に示す駆動手段１４４の発生振動数とは一致しないように設定されている。これにより、第１光学ユニットベース１４５に第１光学アッシー１４６が取り付けられて露光動作を行った際に光学ユニット自身の防振を行う。
【００３０】
ロック爪１５２近傍にはロック爪解除ボタン１５３が設けられ、ミラー台のメンテナンス時等、第１光学ユニットベース１４５から第１光学アッシー１４６を取り外す際にロック解除ボタン１５３を押すことでロック爪１５２の斜面部をロック爪解除ボタン１５３のアクチュエーターが押し、その結果、ロック爪１５２が回動中心を中心としロックを解除する方向に回動する。その結果、位置決め部１５０のロックが解除され、第１光学アッシー１４６が取り外し可能になる。
【００３１】
又、第１光学ユニットベース１４５は、図４に示すように、光学ワイヤー１４２と調整板１５４を介して固定的に接続され、調整板１５４は第１光学ユニットベース１４５に位置を調整されて接続される。
【００３２】
第２光学ユニット１４１は、図２に示すように、光学ワイヤー１４２と滑車を介して接続される第２光学ユニットベース１５５及び第２光学ユニットベース１５５に着脱自在に取り付けられる第２光学アッシー１５６から構成される。
【００３３】
第２光学アッシー１５６は、第１光学ユニット１４０からの画像光を受け、装置本体に導くためのミラー１５７とミラー１５８とミラー１５７，１５８を一体的に保持するための第２光学アッシーフレーム１５９から構成される。第２光学アッシー１５６は、第２光学ユニットベース１５５に取り付けられる際に位置を正確に再現するための位置決め部１６０が設けられている。位置決め部１６０は、第２光学アッシー１５６の前部、後部にそれぞれ配置され、図３に示す第１光学ユニットと同様のロック機構によって位置決め部１６０を取り付け動作に連動して自動的にロックされ、第２光学アッシー１５６と第２光学ユニットベース１５５の位置を固定する。又、図３に示す第１光学ユニットと同様の解除ボタンを押すことによってロックを解除させ、第２光学アッシー１５６が取り外し可能になる。
【００３４】
又、第２光学ユニットベース１５５は、図４に示すように、光学ワイヤー１４２と滑車付き調整板１６３を介して固定的に接続され、調整板１６３は第２光学ユニットベース１５５に位置を調整されて接続される。
【産業上の利用可能性】
【００３５】
本発明は、複写機やイメージリーダ等に用いられる露光装置に適用して、そのメンテナンス効果を高めることができる。
【図面の簡単な説明】
【００３６】
【図１】本発明に係る露光装置の斜視図である。
【図２】本発明に係る露光装置の斜視図である。
【図３】本発明に係る第１光学ユニットのロック機構の斜視図である。
【図４】本発明に係る光学装置の本体への接続方法を示す斜視図である。
【図５】本発明に係る第１光学ユニットのロック機構の断面図である。
【図６】従来例を説明する断面図である。
【図７】従来例を説明する斜視図である。
【図８】複写機の概略構成を示す画像形成装置本体の断面図である。
【符号の説明】
【００３７】
１    シート材収容装置
２    シート材収容装置
３    シート材収容装置
４    シート材収容装置
５    大容量シート材収容装置
６    ピックアップローラ
７    給送ローラ対
１０  画像形成装置
１１  画像形成装置本体
１２  原稿台
１３  自動原稿給送装置
１４  光学読み取り系
１４ａ  原稿読取装置
１４ｂ  画像書き込み装置
１５  感光ドラム
１６  帯電手段
１７  現像手段
１８  クリーニング装置
１９  転写装置
２０  搬送ローラ対
２１  レジローラ対
２２  搬送ベルト
２３  定着手段
２４  排出ローラ対
２６  反転搬送手段
２７  再搬送路
２８  再搬送ローラ対
２９  再搬送ローラ対
３０  再搬送ローラ対
３１  再搬送ローラ対
１００  装置本体
１０１  第１原稿台ガラス
１０２  第２原稿台ガラス
１０３  光学ユニット
１０４  露光ランプ
１０５  第１反射笠
１０６  第２反射笠
１０７  第１ミラー
１０８  第２ミラー
１０９  第３ミラー
１１０  ミラー
１１１  プレート
１１２  第２光学ユニット
１１３  プーリー
１１４  光学ワイヤー
１１５  駆動装置
１４０  第１光学ユニット
１４１  第２光学ユニット
１４２  光学ワイヤー
１４３  駆動プーリー
１４４  駆動装置
１４５  第１光学ユニットベース
１４６  第１光学アッシー
１４７  ランプ
１４８  反射笠
１４９  ミラー
１５０  位置決め部
１５１  第１光学アッシーフレーム
１５２  ロック爪
１５３  ロック爪解除ボタン
１５４  調整板
１５５  第２光学ユニットベース
１５６  第２光学アッシー
１５７  ミラー
１５８  ミラー
１５９  第１光学アッシーフレーム
１６０  位置決め部
１６１  付勢手段
１６２  防振シート
【図１】
2005165002.tif 000003
【図２】
2005165002.tif 000004
【図３】
2005165002.tif 000005
【図４】
2005165002.tif 000006
【図５】
2005165002.tif 000007
【図６】
2005165002.tif 000008
【図７】
2005165002.tif 000009
【図８】
2005165002.tif 000010